(57)【特許請求の範囲】
【請求項１】
桝から立ち上がった掃除用筒状体の上端部に脱着可能に取り付けられた蓋体が紛失するのを防止するための蓋紛失防止部材であって、
切欠部を有する略Ｃ字形状をなすＣ字状本体部と、
このＣ字状本体部に設けられた連結部材取付部とを備え、
前記掃除用筒状体の内周側に前記Ｃ字状本体部の外周側が固着され、
前記連結部材取付部に、一端側が前記蓋体に取り付けられた連結部材の他端側が取り付けられる
ことを特徴とする蓋紛失防止部材。
【請求項２】
Ｃ字状本体部の外径寸法が、掃除用筒状体の内径寸法と同じか若干大きい
ことを特徴とする請求項１記載の蓋紛失防止部材。
【請求項３】
桝から立ち上がった掃除用筒状体の上端部に脱着可能に取り付けられた蓋体が紛失するのを防止するための蓋紛失防止部材の製造方法であって、
円筒部材の周方向一部に内方に向って膨出する凹状部を形成する工程と、
前記凹状部を半割するように前記円筒部材を切断して分割円筒部材を得る工程と、
前記分割円筒部材の半割状の前記凹状部に連結部材取付用の孔部を形成するとともに、前記分割円筒部材の周方向一部を切り取って切欠部を形成する工程と
を備えることを特徴とする蓋紛失防止部材の製造方法。
【請求項４】
桝から立ち上がった掃除用筒状体の上端部に脱着可能に取り付けられた蓋体が紛失するのを防止するための蓋紛失防止部材の製造方法であって、
外径寸法が前記掃除用筒状体の内径寸法と同じか若干大きい円筒部材の軸方向中央部における周方向一部を内方に向けて凹ませて凹状部を形成する工程と、
前記凹状部が形成された前記円筒部材を軸方向中央位置で切断して分割円筒部材を得る工程と、
前記分割円筒部材の半割状の前記凹状部に連結部材取付用の孔部を形成するとともに、前記分割円筒部材の周方向一部を切り取って切欠部を形成する工程と
を備えることを特徴とする蓋紛失防止部材の製造方法。
【請求項５】
桝から立ち上がった掃除用筒状体の上端部に脱着可能に取り付けられた蓋体が紛失するのを防止するための蓋紛失防止部材の製造方法であって、
外径寸法が前記掃除用筒状体の内径寸法より小さい円筒部材をその外径寸法が前記掃除用筒状体の内径寸法と同じか若干大きい寸法になるまで拡径変形するとともに、この円筒部材の周方向一部に内方に向って膨出する凹状部を形成する工程と、
前記凹状部が形成された前記円筒部材を軸方向中央位置で切断して分割円筒部材を得る工程と、
前記分割円筒部材の半割状の前記凹状部に連結部材取付用の孔部を形成するとともに、前記分割円筒部材の周方向一部を切り取って切欠部を形成する工程と
を備えることを特徴とする蓋紛失防止部材の製造方法。
【発明の詳細な説明】
【技術分野】
【０００１】
本発明は、桝から立ち上がった掃除用筒状体の上端部に脱着可能に取り付けられた蓋体が紛失するのを防止するための蓋紛失防止部材およびその製造方法に関するものである。
【背景技術】
【０００２】
従来から、宅地内に埋設された排水管路や雨水管路において、屈曲部および合流部等には桝が設置されているが、この桝の上部からは上端面に掃除口を有する掃除用筒状体が地表面まで立ち上がっており、この掃除用筒状体は、管路が閉塞した場合等の維持管理に大いに役立っている。
【０００３】
そして、この桝から立ち上がった掃除用筒状体は、例えば立上管とこの立上管の上端部に固着された蓋支持枠とにて構成され、この蓋支持枠に掃除口を開閉する蓋体が脱着可能に取り付けられている。
【０００４】
また、特許文献１に示されるように、蓋体と蓋支持枠とを連結部材である鎖で連結する場合もあり、大雨等が原因で下水管に過剰な圧力が発生して蓋体が蓋支持枠から外れても、蓋体が紛失してしまうことがなく、また悪戯で蓋体が持ち去られることもない。しかし、鎖付きの構成では、鎖無しの構成に比べてコスト高となるため、紛失等の心配がない場合は、鎖無しの構成にするのが現状である。
【特許文献１】特開２００１−３２９６０５号公報
【発明の開示】
【発明が解決しようとする課題】
【０００５】
ところが、鎖無しの構成のものを設置した後に、鎖付きの構成に変更したいとの要望が多々あり、この場合には、鎖を引っ掛るフック付きの蓋支持枠に交換するために、周りの地面を掘ったりコンクリートを削ったりする必要がある等、大変な手間とコストがかかるという問題がある。
【０００６】
なお、鎖の有無に拘わらず、フック付きの蓋支持枠を用いることが考えられるが、蓋支持枠のフックが邪魔になって維持管理性が低下する等の問題もあり、鎖無しの構成では、フックを有しない蓋支持枠を用いる方がよい、というように蓋支持枠の兼用が敬遠される場合も多い。
【０００７】
本発明は、このような点に鑑みなされたもので、手間をかけずに低コストで、蓋体の紛失を効果的に防止できる蓋紛失防止部材を提供することを目的とする。
【課題を解決するための手段】
【０００８】
請求項１記載の蓋紛失防止部材は、桝から立ち上がった掃除用筒状体の上端部に脱着可能に取り付けられた蓋体が紛失するのを防止するための蓋紛失防止部材であって、切欠部を有する略Ｃ字形状をなすＣ字状本体部と、このＣ字状本体部に設けられた連結部材取付部とを備え、前記掃除用筒状体の内周側に前記Ｃ字状本体部の外周側が固着され、前記連結部材取付部に、一端側が前記蓋体に取り付けられた連結部材の他端側が取り付けられるものである。
【０００９】
請求項２記載の蓋紛失防止部材は、請求項１記載の蓋紛失防止部材において、Ｃ字状本体部の外径寸法が、掃除用筒状体の内径寸法と同じか若干大きいものである。
【００１０】
請求項３記載の蓋紛失防止部材の製造方法は、桝から立ち上がった掃除用筒状体の上端部に脱着可能に取り付けられた蓋体が紛失するのを防止するための蓋紛失防止部材の製造方法であって、円筒部材の周方向一部に内方に向って膨出する凹状部を形成する工程と、前記凹状部を半割するように前記円筒部材を切断して分割円筒部材を得る工程と、前記分割円筒部材の半割状の前記凹状部に連結部材取付用の孔部を形成するとともに、前記分割円筒部材の周方向一部を切り取って切欠部を形成する工程とを備えるものである。
【００１１】
請求項４記載の蓋紛失防止部材の製造方法は、桝から立ち上がった掃除用筒状体の上端部に脱着可能に取り付けられた蓋体が紛失するのを防止するための蓋紛失防止部材の製造方法であって、外径寸法が前記掃除用筒状体の内径寸法と同じか若干大きい円筒部材の軸方向中央部における周方向一部を内方に向けて凹ませて凹状部を形成する工程と、前記凹状部が形成された前記円筒部材を軸方向中央位置で切断して分割円筒部材を得る工程と、前記分割円筒部材の半割状の前記凹状部に連結部材取付用の孔部を形成するとともに、前記分割円筒部材の周方向一部を切り取って切欠部を形成する工程とを備えるものである。
【００１２】
請求項５記載の蓋紛失防止部材の製造方法は、桝から立ち上がった掃除用筒状体の上端部に脱着可能に取り付けられた蓋体が紛失するのを防止するための蓋紛失防止部材の製造方法であって、外径寸法が前記掃除用筒状体の内径寸法より小さい円筒部材をその外径寸法が前記掃除用筒状体の内径寸法と同じか若干大きい寸法になるまで拡径変形するとともに、この円筒部材の周方向一部に内方に向って膨出する凹状部を形成する工程と、前記凹状部が形成された前記円筒部材を軸方向中央位置で切断して分割円筒部材を得る工程と、前記分割円筒部材の半割状の前記凹状部に連結部材取付用の孔部を形成するとともに、前記分割円筒部材の周方向一部を切り取って切欠部を形成する工程とを備えるものである。
【発明の効果】
【００１３】
請求項１に係る発明によれば、Ｃ字状本体部の外周側を掃除用筒状体の内周側に固着し、一端側が蓋体に取り付けられた連結部材の他端側を連結部材取付部に取り付けることにより、手間をかけずに低コストで、蓋体の紛失を効果的に防止できる。
【００１４】
請求項２に係る発明によれば、Ｃ字状本体部の外径寸法が、掃除用筒状体の内径寸法と同じか若干大きいため、Ｃ字状本体部の外周側を掃除用筒状体の内周側に強固に固着することができる。
【００１５】
請求項３に係る発明によれば、円筒部材の周方向一部に内方に向って膨出する凹状部を形成する工程と、凹状部を半割するように円筒部材を切断して分割円筒部材を得る工程と、分割円筒部材の半割状の凹状部に連結部材取付用の孔部を形成するとともに、分割円筒部材の周方向一部を切り取って切欠部を形成する工程とを経ることにより、蓋紛失防止部材を効率良く製造できる。
【００１６】
請求項４に係る発明によれば、外径寸法が掃除用筒状体の内径寸法と同じか若干大きい円筒部材の軸方向中央部における周方向一部を内方に向けて凹ませて凹状部を形成する工程と、凹状部が形成された円筒部材を軸方向中央位置で切断して分割円筒部材を得る工程と、分割円筒部材の半割状の凹状部に連結部材取付用の孔部を形成するとともに、分割円筒部材の周方向一部を切り取って切欠部を形成する工程とを経ることにより、蓋紛失防止部材を効率良く製造できる。
【００１７】
請求項５に係る発明によれば、外径寸法が掃除用筒状体の内径寸法より小さい円筒部材をその外径寸法が掃除用筒状体の内径寸法と同じか若干大きい寸法になるまで拡径変形するとともに、この円筒部材の周方向一部に内方に向って膨出する凹状部を形成する工程と、凹状部が形成された円筒部材を軸方向中央位置で切断して分割円筒部材を得る工程と、分割円筒部材の半割状の凹状部に連結部材取付用の孔部を形成するとともに、分割円筒部材の周方向一部を切り取って切欠部を形成する工程とを経ることにより、蓋紛失防止部材を効率良く製造できる。
【発明を実施するための最良の形態】
【００１８】
本発明の蓋紛失防止部材の一実施の形態を図面を参照して説明する。
【００１９】
図１において、１は上下面が開口した略円筒状の掃除用筒状体で、この掃除用筒状体１は、宅地内に埋設された桝（図示せず）から地表面まで立ち上がっている。掃除用筒状体１の上端開口が掃除口２となっており、この掃除口２が地表面３と同一面上に位置する。
【００２０】
そして、掃除用筒状体１の上端部内周側には、掃除口２を開閉する略円板状の蓋体５がパッキン６を介して脱着可能に嵌着されている。また、掃除用筒状体１の上端部近傍の内周側には、蓋体５が掃除用筒状体１から外れて紛失するのを防止するための合成樹脂製の蓋紛失防止部材７が接着剤等にて固着されている。そして、蓋体５と蓋紛失防止部材７とが、可撓性を有する略線状の連結部材８、例えば金属製の鎖にて連結されている。
【００２１】
ここで、掃除用筒状体１は、宅地内の桝から地表面近傍まで立ち上がった略円筒状の合成樹脂製の立上管11と、この立上管11の上端部に固着された略円筒状の合成樹脂製或いは金属製の蓋支持枠12とにて構成されている。
【００２２】
蓋支持枠12は、外周側が立上管11の上端部内周側に嵌合固着され外径寸法が立上管11の内径寸法と同じ径小部13と、この径小部13の上端部に一体に設けられ外径寸法が立上管11の外径寸法と同じ径大部14とを有し、この径大部14の上端開口が掃除口２となっている。そして、蓋体５は、蓋支持枠12の内周側にパッキン６を介して脱着可能に嵌着されるとともに径小部13の上端部13a上に載置される。
【００２３】
また、蓋体５は下面側に連結部材取付部16を有し、この連結部材取付部16には横方向の孔部17が貫通して形成されている。そして、連結部材８の一端部のリング部8aが孔部17に通されることにより、連結部材８の一端部が蓋体５の連結部材取付部16に取り付けられている。
【００２４】
蓋紛失防止部材７は、例えば合成樹脂管を用いてブロー成形等にて一体に成形したもので、図２および図３にも示すように、切欠部20を有する略Ｃ字形状をなす弾性変形可能なＣ字状本体部21と、このＣ字状本体部21における切欠部20と対向する部分に一体に設けられＣ字状本体部21から内方に向って膨出する連結部材取付部22とを備え、この連結部材取付部22には連結部材取付用の縦方向の孔部23が貫通して形成されている。
【００２５】
そして、一端部が蓋体５の連結部材取付部16に取り付けられた連結部材８の他端部のリング部8bが孔部23に通されることにより、連結部材８の他端部が蓋紛失防止部材７の連結部材取付部22に取り付けられている。蓋紛失防止部材７のＣ字状本体部21の外径寸法は、掃除用筒状体１の掃除口管である立上管11の内径寸法と同じか若干大きい寸法である。なお、Ｃ字状本体部21は、切欠部20に臨んだ端部21a，21a同士が当接する状態（図２の２点鎖線で示す状態）になるまで、縮径方向に弾性変形させることが可能となっている。
【００２６】
次に、上記蓋紛失防止部材７の製造方法について図４および図５を参照して説明する。
【００２７】
図４（ａ）において、31は外径寸法が掃除用筒状体１の立上管11の内径寸法と同じか若干大きい合成樹脂製の円筒部材で、この円筒部材31は、両端面が開口した肉厚一定の円筒形状をなすものである。
【００２８】
そして、まず、図４（ｂ）に示すように、例えばブロー成形によって円筒部材31の軸方向中央部における周方向一部を内方に向けて凹ませることにより、円筒部材31の周方向一部に内方に向って膨出する略円形の凹状部32を形成する。
【００２９】
次いで、図４（ｃ）に示すように、その凹状部32が形成された円筒部材31を凹状部32を半割するように軸方向中央位置で切断して２つの分割円筒部材33を得る。
【００３０】
次いで、図４（ｄ）に示すように、分割円筒部材33の半割状の凹状部32に連結部材取付用の孔部23を形成するとともに、分割円筒部材33の周方向一部を切り取って切欠部20を形成する。このようにして、切欠部20を有するＣ字状本体部21と、孔部23を有する連結部材取付部22とにて構成された蓋紛失防止部材７を得ることができる。
【００３１】
また、図５（ａ）において、41は外径寸法が掃除用筒状体１の立上管11の内径寸法より小さい合成樹脂製の円筒部材で、この円筒部材41は、両端面が開口した肉厚一定の円筒形状をなすものである。
【００３２】
そして、まず、図５（ｂ）に示すように、例えばブロー成形によって円筒部材41をその外径寸法が掃除用筒状体１の立上管11の内径寸法と同じか若干大きい寸法になるまで拡径変形するとともに、この円筒部材41の周方向一部に内方に向って膨出する凹状部42を形成する。
【００３３】
次いで、図５（ｃ）に示すように、その凹状部42が形成された円筒部材41を凹状部42を半割するように軸方向中央位置で切断して２つの分割円筒部材43を得る。
【００３４】
次いで、図５（ｄ）に示すように、分割円筒部材43の半割状の凹状部42に連結部材取付用の孔部23を形成するとともに、分割円筒部材43の周方向一部を切り取って切欠部20を形成する。このようにして、切欠部20を有するＣ字状本体部21と、孔部23を有する連結部材取付部22とにて構成された蓋紛失防止部材７を得ることができる。
【００３５】
なお、円筒部材31，41は、規格に基づく寸法の合成樹脂管を使用しており、図５（ａ）に示す円筒部材41は、図４（ａ）に示す円筒部材31よりも１ランク下のサイズの合成樹脂管を使用したものである。つまり、円筒部材31，41から同一外径寸法の蓋紛失防止部材７を作ると、円筒部材41から作ったものは、円筒部材31から作ったものに比べて薄肉となるので、安価になる。
【００３６】
次に、蓋紛失防止部材７の掃除用筒状体１への取付方法について説明する。
【００３７】
予め、鎖等の連結部材８の一端部のリング部8aを蓋支持枠12から外した状態の蓋体５の連結部材取付部16に取り付けるとともに、連結部材８の他端部のリング部8bを蓋紛失防止部材７の連結部材取付部22に取り付けておく。
【００３８】
そして、掃除用筒状体１の内周面のうち蓋紛失防止部材７を取り付けたい場所、すなわち例えば立上管11の内周面における上端部近傍であって蓋支持枠12の下端部（径小部13の下端部13b）の近接位置に、接着剤を塗布する。
【００３９】
次いで、蓋紛失防止部材７のＣ字状本体部21の切欠部20を上にした状態で、Ｃ字状本体部21をその切欠部20に臨んだ端部21a，21a同士が接近するように縮径方向に弾性変形させながら、蓋紛失防止部材７を開口した掃除口２から掃除用筒状体１内に蓋支持枠12より下方の位置まで挿入する。
【００４０】
続いて、掃除用筒状体１の立上管11内において、蓋紛失防止部材７を水平になるまで回転させた後、Ｃ字状本体部21を弾性復元力でもとの形状に復元させながら、Ｃ字状本体部21の外周面を立上管11の内周面における接着剤が塗布された部分に固着する。この際、Ｃ字状本体部21の上端部を蓋支持枠12の下端部つまり径小部13の下端部13bに当てて位置決めする。
【００４１】
その後、蓋体５を蓋支持枠12の内周側に嵌合により取り付ける。仮に大雨等によって下水管に過剰な圧力が生じて蓋体５が蓋支持枠12から外れたとしても、蓋体５と蓋紛失防止部材７とが鎖等の連結部材８で連結されているため、蓋体５が紛失してしまうことがない。
【００４２】
そして、このような蓋紛失防止部材７によれば、Ｃ字状本体部21の外周側を掃除用筒状体１の立上管11の内周側に接着剤等で固着し、一端側が蓋体５に取り付けられた連結部材８の他端側を連結部材取付部22に取り付けることにより、既設の蓋支持枠12を交換することなく、手間をかけずに低コストで、蓋体５の紛失を効果的に防止できる。
【００４３】
また、Ｃ字状本体部21の外径寸法が掃除用筒状体１の立上管11の内径寸法と同じか若干大きいため、Ｃ字状本体部21の外周面略全体を立上管11の内周面に密着させることができ、Ｃ字状本体部21の外周側を掃除用筒状体１の内周側に強固に固着することができる。なお、Ｃ字状本体部21の外径寸法が立上管11の内径寸法より大きい場合、曲率が異なるので密着性は若干劣るものの、Ｃ字状本体部21は弾性復元力で立上管11の内周面に強く押し付けられ、固定が容易となる。
【００４４】
なお、蓋体５と蓋紛失防止部材７とを連結する連結部材８は、金属製の鎖には限定されず、例えば合成樹脂製の紐等でもよい。
【００４５】
また、上記図４および図５に示す製造方法では、１つの円筒部材31，41である合成樹脂管から、蓋紛失防止部材７を２個ずつ製造する方法について説明したが、合成樹脂管の軸方向長さを長くし、凹状部32，42を複数形成するようにすれば、１つの合成樹脂管から、蓋紛失防止部材７を４個ずつ、６個ずつ或いは８個ずつ製造することも可能である。
【００４６】
さらに、掃除用筒状体１は、立上管11と蓋支持枠12とにて構成されたものには限定されず、例えば立上管11と蓋支持枠12との間に調整筒を設けるもの等でもよい。
【図面の簡単な説明】
【００４７】
【図１】本発明の一実施の形態に係る蓋紛失防止部材を備えた掃除口構造の部分断面図である。
【図２】同上蓋紛失防止部材の平面図である。
【図３】図２におけるＡ−Ａ断面図である。
【図４】同上蓋紛失防止部材の製造工程を示す図である。
【図５】同上蓋紛失防止部材の他の製造工程を示す図である。
【符号の説明】
【００４８】
１    掃除用筒状体
５    蓋体
７    蓋紛失防止部材
８    連結部材
20    切欠部
21    Ｃ字状本体部
22    連結部材取付部
23    連結部材取付用の孔部
31，41    円筒部材
32，42    凹状部
33，43    分割円筒部材
【図１】
0004625426.tif 000002
【図２】
0004625426.tif 000003
【図３】
0004625426.tif 000004
【図４】
0004625426.tif 000005
【図５】
0004625426.tif 000006